(57)【要約】      （修正有）【課題】停電時に、より適切な呼び応答を行うことのできるエレベータ制御装置を提供すること。【解決手段】実施形態によれば、エレベータ制御装置２は、バッテリ２６と、運転制御部２２と、を備える。バッテリ２６は、商用電源５０からの電力を蓄積すると共に、少なくとも商用電源５０の停電時は、乗りかご５の移動に使用する電力を供給するものである。運転制御部２２は、乗り場に設けられた乗り場呼び登録装置４１及び乗りかごに設けられたかご呼び登録装置３１からの呼び登録信号に従って乗りかごの昇降制御を行うと共に、商用電源５０の停電時で、且つ、バッテリ２６の充電量が所定値以下の場合は、かご呼び登録装置３１からの呼び登録信号のみを登録可能として乗りかごの昇降制御を行うものである。【選択図】図５
2014136629.tif 000002
【特許請求の範囲】
【請求項１】
エレベータの外部電源からの電力を蓄積すると共に、少なくとも前記外部電源の停電時は、前記エレベータの乗りかごの移動に使用する電力を供給するバッテリと、
前記エレベータの乗り場に設けられた乗り場呼び登録装置及び前記乗りかごに設けられたかご呼び登録装置からの呼び登録信号に従って前記乗りかごの昇降制御を行うと共に、前記外部電源の停電時で、且つ、前記バッテリの充電量が所定値以下の場合は、前記かご呼び登録装置からの前記呼び登録信号のみを登録可能として前記乗りかごの昇降制御を行う運転制御部と、
を備えることを特徴とするエレベータ制御装置。
【請求項２】
前記運転制御部は、前記外部電源の停電時で、且つ、前記バッテリの充電量が所定値以下の場合には、前記かご呼び登録装置からの前記呼び登録信号のうち、前記乗りかごの移動方向が同一方向の前記呼び登録信号のみに基づいて前記乗りかごの昇降制御を行うことを特徴とする請求項１に記載のエレベータ制御装置。
【請求項３】
前記運転制御部は、前記外部電源の停電時で、且つ、前記バッテリの充電量が所定値以下の場合には、所定の時間の間は前記乗りかごの昇降制御を行い、前記所定の時間の経過後は前記乗りかごの昇降制御を停止することを特徴とする請求項１に記載のエレベータ制御装置。
【請求項４】
前記運転制御部は、前記外部電源の停電時で、且つ、前記バッテリの充電量が所定値以下の場合には、前記乗り場での前記乗りかごの停止後に前記乗りかごの荷重が増加した場合は、前記荷重が増加した前記乗り場で前記乗りかごを停止させることを特徴とする請求項１〜３のいずれか１項に記載のエレベータ制御装置。
【発明の詳細な説明】
【技術分野】
【０００１】
本発明の実施形態は、エレベータ制御装置に関する。
【背景技術】
【０００２】
従来エレベータの中には、電源からの電力を蓄積する電力蓄積装置を備え、停電時には、残存電力量に応じて、乗り場呼びやかご呼び応答を制限しているものがある。
【先行技術文献】
【特許文献】
【０００３】
【特許文献１】特開２００４−１８１２４号公報
【発明の概要】
【発明が解決しようとする課題】
【０００４】
しかしながら、停電時に呼び応答を制限した場合、乗りかごの乗員が目的階に到達できなくなるため、停電時における呼び応答には、改良の余地があった。
【０００５】
本発明は、上記に鑑みてなされたものであって、停電時に、より適切な呼び応答を行うことのできるエレベータ制御装置を提供することを目的とする。
【課題を解決するための手段】
【０００６】
実施形態のエレベータ制御装置は、バッテリと、運転制御部と、を備える。バッテリは、エレベータの外部電源からの電力を蓄積すると共に、少なくとも外部電源の停電時は、エレベータの乗りかごの移動に使用する電力を供給するものである。運転制御部は、エレベータの乗り場に設けられた乗り場呼び登録装置及び乗りかごに設けられたかご呼び登録装置からの呼び登録信号に従って乗りかごの昇降制御を行うと共に、外部電源の停電時で、且つ、バッテリの充電量が所定値以下の場合は、かご呼び登録装置からの呼び登録信号のみを登録可能として乗りかごの昇降制御を行うものである。
【図面の簡単な説明】
【０００７】
【図１】図１は、実施形態１に係るエレベータ制御装置を備えるエレベータ装置の概略図である。
【図２】図２は、図１に示す乗りかごと乗り場の説明図である。
【図３】図３は、図２に示すかご呼び登録装置の詳細図である。
【図４】図４は、図２に示す乗り場呼び登録装置の詳細図である。
【図５】図５は、図１に示すエレベータ制御装置の構成を示すブロック図である。
【図６】図６は、停電時に実施形態１に係るエレベータ制御装置で運転制御を行う際の処理手順の概略を示すフロー図である。
【図７】図７は、停電時に実施形態２に係るエレベータ制御装置で運転制御を行う際の処理手順の概略を示すフロー図である。
【図８】図８は、実施形態２に係るエレベータ制御装置で充電量減少時運転を行う際の処理手順の概略を示すフロー図である。
【図９】図９は、実施形態３に係るエレベータ制御装置で充電量減少時運転を行う際の処理手順の概略を示すフロー図である。
【発明を実施するための形態】
【０００８】
以下に、本発明に係るエレベータ制御装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【０００９】
〔実施形態１〕
図１は、実施形態１に係るエレベータ制御装置を備えるエレベータ装置の概略図である。本実施形態１に係るエレベータ制御装置２は、昇降路３内を乗りかご５が昇降し、乗り場７間を乗りかご５が移動するエレベータ装置１に備えられている。このエレベータ装置１は、昇降路３を昇降可能な乗りかご５と、つり合いおもりとしてのカウンタウェイト１０とをメインロープ１１で連結した、いわゆるつるべ式のエレベータとして構成されている。エレベータ装置１は、乗りかご５と、カウンタウェイト１０と、メインロープ１１と、昇降駆動装置１２と、制御装置２０と、を備えている。
【００１０】
エレベータ装置１に備えられるエレベータ制御装置２は、制御装置２０を含み、さらに、エレベータ装置１の運転に用いる電力を供給するバッテリ２６と、バッテリ２６の充放電を制御する電源制御装置２５と、を有している。このエレベータ制御装置２を備えるエレベータ装置１は、バッテリ２６や外部電源から供給される電力を使用し、制御装置２０によって各部の駆動を制御して乗りかご５を昇降路３内で昇降させることにより、利用者が任意の目的階の乗り場７に移動することが可能になっている。
【００１１】
昇降路３は、エレベータ装置１を備える建物の鉛直方向に沿って設けられており、建物内の複数の階床に渡って設けられている。また、昇降駆動装置１２は、乗りかご５が昇降する昇降路３における上端付近に配設されており、エレベータ制御装置２も同様に、昇降路３内に配設されている。乗りかご５は、利用者が乗ったり荷物を乗せたりするための構造物になっており、昇降路３内に配置されて、昇降路３を昇降可能に構成されている。
【００１２】
また、カウンタウェイト１０は、メインロープ１１を介して乗りかご５に連結されて昇降路３内に配置され、乗りかご５と連動して昇降路３を昇降可能なつり合いおもりとして設けられている。また、メインロープ１１は、昇降路３の上部に設けられた昇降駆動装置１２の巻上機１５のメインシーブ１６やそらせシーブ１７等に掛けられて、一端に乗りかご５が接続され、他端にカウンタウェイト１０が接続されることにより、双方を連結している。
【００１３】
昇降駆動装置１２は、動力源である電動機１８と、電動機１８に連結されたメインシーブ１６を有し、電動機１８で発生する動力でメインロープ１１を電動で巻き上げる巻上機１５等により構成されており、制御装置２０により駆動制御が可能になっている。乗り場７は、乗りかご５が着床可能な各エレベータ停止階床に設けられ、利用者が乗りかご５に対して乗降したり、荷物を乗りかご５に対して積み下ろしたりするための場所になっている。
【００１４】
制御装置２０は、通常の形式の双方向コモン・バスにより相互に連結されたＣＰＵ（Ｃｅｎｔｒａｌ  Ｐｒｏｃｅｓｓｉｎｇ  Ｕｎｉｔ）、所定の制御プログラム等を予め記憶しているＲＯＭ（Ｒｅａｄ  Ｏｎｌｙ  Ｍｅｍｏｒｙ）、ＣＰＵの演算結果を一時記憶するＲＡＭ（Ｒａｎｄｏｍ  Ａｃｃｅｓｓ  Ｍｅｍｏｒｙ）、予め用意されたマップデータ、エレベータ装置１の仕様等の情報を記憶するバックアップＲＡＭ及び入出力ポート装置を有するマイクロコンピュータ及び駆動回路を備えている。制御装置２０は、種々のセンサ、検出器やエレベータ装置１の各部と電気的に接続され、各部の動作を統括的に制御する。
【００１５】
図２は、図１に示す乗りかごと乗り場の説明図である。昇降路３内を昇降する乗りかご５には、エレベータの利用者１００が乗りかご５内に出入りする際に開閉する乗りかご扉６が設けられており、乗り場７には、乗りかご扉６の開閉に伴って開閉する乗り場扉８が設置されている。これにより、利用者１００は、乗りかご５内と乗り場７との間を移動することができ、乗りかご５に乗った状態で乗りかご５を昇降させることにより、異なる階の乗り場７に移動することができる。
【００１６】
このエレベータ装置１は、登録した動作の内容に基づいて稼動するため、利用者１００が要求する動作を受け付けて登録すると共に、登録した内容に応じて各部を作動させるエレベータ制御装置２を備えている。エレベータ装置１は、このように登録した内容に基づいて稼動するため、エレベータの利用者１００の利用時における意思の登録操作である呼び操作が可能な呼び登録装置３０を有している。この呼び登録装置３０は、乗りかご５内と乗り場７とに設置されており、乗りかご５内に設置される呼び登録装置３０であるかご呼び登録装置３１と、乗り場７に設置される呼び登録装置３０である乗り場呼び登録装置４１と、を有している。これらのかご呼び登録装置３１と乗り場呼び登録装置４１とは、共にエレベータ装置１の各部を制御する制御装置２０に接続されている。
【００１７】
図３は、図２に示すかご呼び登録装置の詳細図である。かご呼び登録装置３１は、乗りかご５を移動させる目的階を選択して登録する呼びボタンである目的階選択ボタン３３と、乗りかご５がいずれかの階に停止中に乗りかご扉６の開閉操作を行う戸開閉ボタン３４と、を有している。目的階選択ボタン３３は、乗りかご５が停止可能な階に対応して複数が設けられている。これにより、目的階を選択して呼び操作を行う際には、目的階に対応する目的階選択ボタン３３に入力操作を行って呼び操作を行うことにより、乗りかご５の移動時における目的階を登録する。また、戸開閉ボタン３４は、乗りかご扉６を開ける際に入力操作を行う「開」用の戸開閉ボタン３４と、乗りかご扉６を閉じる際に入力操作を行う「閉」用の戸開閉ボタン３４とを有している。
【００１８】
また、かご呼び登録装置３１は、乗りかご５が現在位置している階など各種の情報を表示する乗りかご側インジケータ３２と、乗りかご５内の利用者１００に対して各種の情報を電子音声等によって報知する報知手段である乗りかご側スピーカ３５と、を有している。
【００１９】
図４は、図２に示す乗り場呼び登録装置の詳細図である。乗り場呼び登録装置４１は、利用者１００が現在の乗り場７から乗りかご５に乗って移動する方向を選択して登録する呼びボタンである移動方向選択ボタン４３を有している。この移動方向選択ボタン４３は、利用者１００が上階に移動する際に呼び操作を行う上階移動用の移動方向選択ボタン４３と、下階に移動する際に呼び操作を行う下階移動用の移動方向選択ボタン４３と、が設けられている。
【００２０】
また、乗り場呼び登録装置４１は、乗りかご５が現在位置している階など各種の情報を表示する乗り場側インジケータ４２と、乗り場７にいる利用者１００に対して各種の情報を電子音声等によって報知する報知手段である乗り場側スピーカ４５と、を有している。
【００２１】
図５は、図１に示すエレベータ制御装置の構成を示すブロック図である。エレベータ制御装置２は、制御装置２０と、電源制御装置２５と、バッテリ２６とを有して構成されている。かご呼び登録装置３１と乗り場呼び登録装置４１とは、共にエレベータ制御装置２が有する制御装置２０に接続されており、目的階選択ボタン３３や移動方向選択ボタン４３等への入力操作の情報は、呼び登録信号として制御装置２０に伝達可能になっている。また、乗りかご側インジケータ３２や乗り場側インジケータ４２で表示する情報等の呼び登録装置３０への駆動指示の信号は、電気信号として制御装置２０から呼び登録装置３０に伝達可能になっている。
【００２２】
また、制御装置２０には、昇降路内で乗りかご５を昇降させる際に駆動する昇降駆動装置１２が接続されており、昇降駆動装置１２は、制御装置２０からの制御信号に従って駆動可能になっている。
【００２３】
このように各部を制御する制御装置２０は、呼び登録装置３０へ入力操作することによる呼び登録信号を受けたり、利用者１００に伝達する情報を呼び登録装置３０に送信したりする登録制御部２１と、呼び登録装置３０への入力操作に基づいて昇降駆動装置１２の駆動制御を行う等の乗りかご５の運転制御を行う運転制御部２２と、を有している。
【００２４】
さらに、制御装置２０には、電源制御装置２５が接続されており、電源制御装置２５には、バッテリ２６と商用電源５０とが接続されている。このうち、バッテリ２６は、充放電可能な蓄電装置になっており、商用電源５０は、エレベータ装置１の外部から供給される交流の外部電源になっている。商用電源５０が接続される電源制御装置２５は、商用電源５０から供給される交流を整流して直流に変換するコンバータ装置（図示省略）や、コンバータ装置で変換された直流を整流する平滑コンデンサ（図示省略）、平滑コンデンサで平滑された直流を昇降駆動装置１２で使用可能な交流に変換するインバータ装置（図示省略）等を含む電気回路を有している。
【００２５】
また、電源制御装置２５は、商用電源５０からの電力の供給状態に応じてエレベータ装置１を運転させる電力を適宜切り替えると共に、バッテリ２６の充放電制御を行うことが可能になっている。このように構成される電源制御装置２５は、商用電源５０とバッテリ２６との少なくともいずれか一方から供給される電力を、エレベータ装置１を駆動させる電力として使用し、制御装置２０は、この電力を用いて各部を作動させ、エレベータ装置１を運転させる。例えば、通常時は、乗りかご５の移動に使用する電力として、商用電源５０から供給される電力を主に使用し、商用電源５０の停電時は、乗りかご５の移動に使用する電力として、バッテリ２６から供給される電力を使用する。
【００２６】
本実施形態１に係るエレベータ制御装置２は、以上のごとき構成からなり、以下、その作用について説明する。利用者１００がエレベータ装置１を利用して建物の他の階に移動する際には、乗り場７に設置される乗り場呼び登録装置４１の移動方向選択ボタン４３に対して入力操作を行うことにより、移動方向の登録操作を行う。移動方向の登録情報は、乗り場呼び登録装置４１から呼び登録信号が制御装置２０の登録制御部２１に伝達され、呼び登録が行われる。運転制御部２２は、登録制御部２１で行われた呼び登録に基づいて昇降駆動装置１２を制御し、移動方向の呼び操作が行われた乗り場７からの移動方向が、呼び操作が行われた移動方向で乗りかご５を運転できる場合に、乗りかご５をその乗り場７に停止させる。これにより、乗り場呼び登録装置４１への呼び操作に対する呼び応答を行う。
【００２７】
利用者１００は、乗りかご５が乗り場７に停止したら乗りかご５に入り、かご呼び登録装置３１の目的階選択ボタン３３に対して入力操作を行うことにより、目的階の呼び操作を行う。目的階の呼び情報も、かご呼び登録装置３１から呼び登録信号が制御装置２０の登録制御部２１に伝達され、呼び登録が行われる。運転制御部２２は、この呼び登録に基づいて昇降駆動装置１２を制御し、乗りかご５を目的階に移動させる。これにより、かご呼び登録装置３１への呼び操作に対する呼び応答を行う。
【００２８】
また、利用者１００が乗りかご５に乗り込んだ状態で、乗りかご扉６の開閉操作を行いたい場合には、戸開閉ボタン３４を操作することによって行う。乗りかご５が、いずれかの階の乗り場７に停止している状態で、戸開閉ボタン３４に対して入力操作を行った場合には、操作された戸開閉ボタン３４に応じて、乗りかご扉６と乗り場扉８とが共に開閉する。
【００２９】
また、エレベータ装置１の運転時は、制御装置２０から呼び登録装置３０に対して、必要に応じて情報を送信する。この情報を受信した呼び登録装置３０は、乗りかご側インジケータ３２や乗り場側インジケータ４２で情報を表示したり、乗りかご側スピーカ３５や乗り場側スピーカ４５から音声を出力したりすることにより、利用者１００に対して情報を報知する。
【００３０】
これらのように、エレベータ装置１を運転させる際には、商用電源５０から供給される電力とバッテリ２６から供給される電力とのうち、少なくともいずれか一方を使用するが、この電力は、電源制御装置２５で商用電源５０やバッテリ２６の状態を判断し、電気の回路を切り替える。具体的には、商用電源５０から電力が供給され、商用電源５０を使用可能な状態である通常時は、商用電源５０から供給される電力を使用してエレベータ装置１を運転させる。またこの場合、バッテリ２６の充電量に応じて商用電源５０から供給される電力の一部をバッテリ２６に供給し、バッテリ２６に充電することによってバッテリ２６に蓄積する。
【００３１】
バッテリ２６で充電する電力は、商用電源５０から供給される電力以外に、昇降駆動装置１２が有する電動機１８による回生電力も用いる。つまり、電動機１８は、外部から回転方向の入力がある場合、発電機として機能することができるため、乗りかご５やカウンタウェイト１０が降下する際の力によって回生発電を行うことができる。電源制御装置２５は、この回生発電による電力も、バッテリ２６の充電に用いる電力として利用する。
【００３２】
また、商用電源５０は、停電することが考えられるが、商用電源５０の停電時は、エレベータ制御装置２は、商用電源５０の停電時においてエレベータ装置１の運転を継続させる運転である停電時継続運転を行う。この場合、制御装置２０は、バッテリ２６の電力によってエレベータ装置１を運転するモードに切り替える。具体的には、停電時継続運転では、制御装置２０は、乗りかご５の昇降の速度を通常運転時の速度よりも遅くする停電時低速運転にして、乗りかご５の昇降制御を行う。これにより、バッテリ２６の電力でエレベータ装置１を運転する際に、極力長い時間運転することを可能にする。制御装置２０は、商用電源５０が停電したことの情報を電源制御装置２５から受けた場合には、運転制御部２２によって昇降駆動装置１２に対して、このように停電時低速運転の制御を行う。
【００３３】
さらに、バッテリ２６からの電力によって停電時低速運転中に、バッテリ２６の充電量が低下し、充電量が少なくなった場合には、充電量減少時運転を行う。この充電量減少時運転は、バッテリ２６の充電量が減少し過ぎることに起因して乗りかご５の昇降中に乗りかご５が停止し、利用者１００が目的とする乗り場７に到達できなくなることを未然に防ぐ運転モードになっている。
【００３４】
具体的には、バッテリ２６の充電量が所定値以下になった場合は、かご呼び登録装置３１からの呼び登録信号のみを登録可能とし、乗り場呼び登録装置４１からの呼び登録信号は登録不可として呼び登録を行って乗りかご５の昇降制御を行う。つまり、制御装置２０の運転制御部２２は、バッテリ２６の充電量が所定値以下の場合は、充電量減少時運転を行うことにより、かご呼び登録装置３１に対する呼び操作に基づいてのみ乗りかご５の昇降制御を行い、呼び応答を行う。
【００３５】
なお、停電時継続運転を行っている場合でも、商用電源５０の状態の監視は継続しており、停電時継続運転中に商用電源５０が復帰したことを検出した場合には、制御装置２０は、商用電源５０からの電力によるエレベータ装置１の運転を再開する。即ち、制御装置２０は、通常の運転モードでの運転を再開し、乗りかご５の昇降速度を、通常時の昇降速度に戻す。
【００３６】
次に、商用電源５０の停電時にエレベータ装置１を運転させる際における処理手順の概略について説明する。図６は、停電時に実施形態１に係るエレベータ制御装置で運転制御を行う際の処理手順の概略を示すフロー図である。商用電源５０の状態は、バッテリ２６で監視しており、商用電源５０が停電したことをバッテリ２６で検知したら、制御装置２０全体を起こし、またバッテリ２６で昇降駆動装置１２の駆動も行う。商用電源５０の停電をバッテリ２６を介して検知した制御装置２０は、停電時低速運転を開始する（ステップＳＴ１０１）。停電時低速運転では、バッテリ２６から供給される電力のみによって各部の運転制御を行うと共に、運転制御部２２によって昇降駆動装置１２を駆動させる際に、乗りかご５の昇降時における移動速度が、商用電源５０が停電していない場合よりも遅くなるようにする。
【００３７】
停電時低速運転も、基本的にはかご呼びと乗り場呼びに応答するため、かご呼びと乗り場呼びに応答して乗りかご５を移動させる（ステップＳＴ１０２）。つまり、制御装置２０の登録制御部２１は、かご呼び登録装置３１からの呼び登録信号と、乗り場呼び登録装置４１からの呼び登録信号とを、共に登録可能とする。これにより、かご呼び登録装置３１の目的階選択ボタン３３を操作した場合と、乗り場呼び登録装置４１の移動方向選択ボタン４３を操作した場合とのいずれの場合も、操作した内容を、呼び登録として登録制御部２１で登録する。制御装置２０の運転制御部２２は、登録制御部２１での呼び登録に応じて昇降駆動装置１２を制御して駆動させることにより、呼び登録されている乗り場７へ乗りかご５を移動させる。
【００３８】
次に、装置は正常であるか否かを判定する（ステップＳＴ１０３）。つまり、制御装置２０含むエレベータ装置１を構成する各装置が正常であるか否かを制御装置２０で判定する。この判定により、装置に異常があり、装置は正常でなないと判定された場合（ステップＳＴ１０３、Ｎｏ判定）には、停電時継続運転を終了する（ステップＳＴ１０４）。即ち、エレベータ装置１に故障がある判断されるため、停電時継続運転を終了し、エレベータ装置１の運転を停止する。
【００３９】
これに対し、装置は正常であると判定された場合（ステップＳＴ１０３、Ｙｅｓ判定）には、次に、バッテリ２６の充電量が低下した否かを判定する（ステップＳＴ１０５）。この判定は、バッテリ２６の充電状態を示すＳＯＣ（Ｓｔａｔｅ  Ｏｆ  Ｃｈａｒｇｅ）を監視する電源制御装置２５により、バッテリ２６の充電量が少なくなっているか否かを、ＳＯＣに基づいて判定する。充電量が低下しているか否かの判断の基準となる値は、バッテリ２６の電力のみでエレベータ装置１の運転が可能な時間が短いと判断できる充電量の閾値とした予め設定されており、電源制御装置２５は、この閾値と現在の充電量とを比較することにより、判定する。即ち、現在の充電量が、閾値より少ない場合は、バッテリ２６の充電量が低下していると判定し、現在の充電量が閾値以上の場合は、バッテリ２６の充電量は低下しておらず、しばらくはバッテリ２６からの電力のみで運転可能であると判定する。
【００４０】
電源制御装置２５での判定により、バッテリ２６の充電量は低下していないと判定された場合（ステップＳＴ１０５、Ｎｏ判定）には、次に、停電時継続運転時間が終了したか否かを判定する（ステップＳＴ１０６）。商用電源５０の停電時における運転である停電時継続運転は、停電の間、行われ続けるのではなく、停電時継続運転を許容する運転時間として、停電時継続運転時間が予め設定されている。制御装置２０では、停電時継続運転の開始後の時間が、この設定された停電時継続運転時間を経過したか否かを判定する。
【００４１】
制御装置２０での判定により、停電時継続運転の開始後の時間が停電時継続運転時間を経過しておらず、停電時継続運転時間が終了していないと判定された場合（ステップＳＴ１０６、Ｎｏ判定）には、ステップＳＴ１０１に戻り、停電時低速運転を継続する。
【００４２】
これに対し、制御装置２０での判定により、停電時継続運転時間が終了したと判定された場合（ステップＳＴ１０６、Ｙｅｓ判定）、または、電源制御装置２５での判定により、バッテリ２６の充電量は低下したと判定された場合（ステップＳＴ１０５、Ｙｅｓ判定）には、新規かご呼びは許可し、乗り場呼び登録は禁止する（ステップＳＴ１０７）。つまり、制御装置の登録制御部２１は、乗り場呼び登録装置４１からの呼び登録信号は登録不可とし、かご呼び登録装置３１からの呼び登録信号のみを登録可能にする。
【００４３】
これにより、乗り場呼び登録装置４１の移動方向選択ボタン４３を操作した場合には、操作した内容を呼び登録せず、かご呼び登録装置３１の目的階選択ボタン３３を操作した場合のみ、操作した内容を、呼び登録として登録制御部２１で登録する。つまり、乗り場７の利用者１００の呼び操作は呼び登録せず、乗りかご５内の利用者１００の呼び操作のみ、呼び登録する。制御装置２０の運転制御部２２では、登録制御部２１でのこの呼び登録に応じて昇降駆動装置１２を制御して駆動させることにより、乗りかご５内の利用者１００の呼び操作によって呼び登録された乗り場７へ、乗りかご５を移動させる。
【００４４】
次に、最後の呼びに応答して着床させる（ステップＳＴ１０８）。即ち、複数の呼び登録のうち、乗りかご５が登録された乗り場７で停止せず、応答が最後まで残った呼び登録に応答し、登録された乗り場７で乗りかご５を停止させ、着床させる。乗りかご５を着床させたら、停電時継続運転を終了する（ステップＳＴ１０９）。即ち、バッテリ２６から供給される電力のみでの乗りかご５の昇降制御を終了する。
【００４５】
以上の実施形態１に係るエレベータ制御装置２は、商用電源５０の停電時で、さらにバッテリ２６の充電量が所定値以下の場合は、かご呼び登録装置３１からの呼び登録信号のみを登録可能として乗りかご５の昇降制御を行うため、停電時でも、乗りかご５内の利用者１００を目的階に到達させることができる。この結果、商用電源５０の停電時に、より適切な呼び応答を行うことができる。
【００４６】
〔実施形態２〕
実施形態２に係るエレベータ制御装置２は、実施形態１に係るエレベータ制御装置２と略同様の構成であるが、停電時低速運転時にバッテリ２６の充電量が低下したと判定された場合には、呼び方向が同一方向の呼び登録信号のみを登録可能にする点に特徴がある。他の構成は実施形態１と同様なので、その説明を省略すると共に、同一の符号を付す。
【００４７】
本実施形態２に係るエレベータ制御装置２は、実施形態１に係るエレベータ制御装置２と同様に、電源制御装置２５を備えており、電源制御装置２５には、外部電源である商用電源５０とバッテリ２６とが接続されている。このため、本実施形態２に係るエレベータ制御装置２は、商用電源５０とバッテリ２６との少なくともいずれか一方から供給される電力を、エレベータ装置１を駆動させる電力として使用して、エレベータ装置１を運転させることが可能になっている。
【００４８】
本実施形態２に係るエレベータ制御装置２は、以上のごとき構成からなり、以下、その作用について説明する。本実施形態２に係るエレベータ制御装置２でも、実施形態１に係るエレベータ制御装置２と同様に、商用電源５０の停電時は停電時低速運転を行い、バッテリ２６から供給される電力のみでエレベータ装置１を運転する共に、乗りかご５の昇降の速度を、通常運転時の速度よりも遅くする。
【００４９】
また、本実施形態２に係るエレベータ制御装置２でも、バッテリ２６の充電量が少なくなった場合には充電量減少時運転を行うが、本実施形態２では、充電量減少時運転は、乗りかご５を同一方向にのみ移動させることによって行う。つまり、乗りかご５の移動方向が、充電量減少時運転の開始時における乗りかご５の移動方向、または移動の予定方向と同一方向になるかご呼び登録装置３１からの呼び登録信号のみ、呼び登録を行う。即ち、実施形態１に係るエレベータ制御装置２とは異なり、かご呼び登録装置３１からの呼び登録信号でも、乗りかご５の移動方向が、充電量減少時運転の開始時における乗りかご５の移動方向、または移動の予定方向とは異なる方向になる呼び登録信号の場合は、呼び登録は行わない。
【００５０】
次に、商用電源５０の停電時にエレベータ装置１を運転させる際における処理手順の概略について説明する。図７は、停電時に実施形態２に係るエレベータ制御装置で運転制御を行う際の処理手順の概略を示すフロー図である。商用電源５０の停電を検知したら、制御装置２０は、停電時低速運転を開始し、バッテリ２６から供給される電力のみによって各部の運転制御を行うと共に、乗りかご５の昇降時における移動速度を遅くする（ステップＳＴ１０１）。
【００５１】
停電時低速運転の開始後は、制御装置の登録制御部２１と運転制御部２２とで、かご呼びと乗り場呼びに応答して乗りかご５を移動させる（ステップＳＴ１０２）。次に、装置は正常であるか否かを制御装置２０で判定し（ステップＳＴ１０３）、装置は正常でなないと判定された場合（ステップＳＴ１０３、Ｎｏ判定）には、停電時継続運転を終了する（ステップＳＴ１０４）。
【００５２】
これに対し、装置は正常であると判定された場合（ステップＳＴ１０３、Ｙｅｓ判定）には、次に、バッテリ２６の充電量が低下した否かを電源制御装置２５で判定する（ステップＳＴ１０５）。この判定により、バッテリ２６の充電量は低下していないと判定された場合（ステップＳＴ１０５、Ｎｏ判定）には、次に、停電時継続運転時間が終了したか否かを制御装置２０で判定する（ステップＳＴ１０６）。この判定により、停電時継続運転時間が終了していないと判定された場合（ステップＳＴ１０６、Ｎｏ判定）には、ステップＳＴ１０１に戻り、停電時低速運転を継続する。
【００５３】
これに対し、停電時継続運転時間が終了したと判定された場合（ステップＳＴ１０６、Ｙｅｓ判定）、または、電源制御装置２５での判定により、バッテリ２６の充電量は低下したと判定された場合（ステップＳＴ１０５、Ｙｅｓ判定）には、充電量減少時運転のルーチンに移行し、充電量減少時運転を開始する（ステップＳＴ２００）。
【００５４】
図８は、実施形態２に係るエレベータ制御装置で充電量減少時運転を行う際の処理手順の概略を示すフロー図である。充電量減少時運転では、まず、新規かご呼びは許可し、乗り場呼び登録は禁止する（ステップＳＴ２０１）。つまり、制御装置２０の登録制御部２１は、乗り場呼び登録装置４１からの呼び登録信号は登録不可とし、かご呼び登録装置３１からの呼び登録信号のみを登録可能にする。
【００５５】
次に、かご呼びは現在の運転方向と同一方向であるか否かを判定する（ステップＳＴ２０２）。この判定は、登録制御部２１で行う。登録制御部２１は、ステップＳＴ２０１で許可したかご呼び登録装置３１からの呼び登録信号の内容が、充電量減少時運転の開始時における乗りかご５の移動方向、または移動の予定方向と同一方向に乗りかご５を移動させる内容であるか否かを判定する。
【００５６】
登録制御部２１は、かご呼び登録装置３１からの呼び登録信号の内容が、充電量減少時運転の開始時における乗りかご５の移動方向等と同一方向に乗りかご５を移動させる内容の場合には、かご呼びは現在の運転方向と同一方向であると判定する。反対に、かご呼び登録装置３１からの呼び登録信号の内容が、充電量減少時運転の開始時における乗りかご５の移動方向等と同一方向に乗りかご５を移動させる内容ではない場合には、かご呼びは現在の運転方向と同一方向ではないと判定する。
【００５７】
例えば、充電量減少時運転の開始時における乗りかご５の移動方向が、上昇方向である場合には、かご呼び登録装置３１からの呼び登録信号の内容が、乗りかご５を上昇させる内容の場合に、かご呼びは現在の運転方向と同一方向であると判定する。反対に、充電量減少時運転の開始時における乗りかご５の移動方向が、上昇方向である場合に、かご呼び登録装置３１からの呼び登録信号の内容が、乗りかご５を下降させる内容の場合には、かご呼びは現在の運転方向と同一方向ではないと判定する。
【００５８】
登録制御部２１での判定により、かご呼びは現在の運転方向と同一方向であると判定された場合（ステップＳＴ２０２、Ｙｅｓ判定）には、かご呼びを登録する（ステップＳＴ２０３）。即ち、許可したかご呼び登録装置３１からの呼び登録信号を呼び登録することにより、現在の運転方向と同一方向のかご呼びのみ、呼び登録する。
【００５９】
これに対し、登録制御部２１での判定により、かご呼びは現在の運転方向と同一方向ではないと判定された場合（ステップＳＴ２０２、Ｎｏ判定）には、同一方向のみ受け付けることを報知する（ステップＳＴ２０４）。この報知は、制御装置２０の登録制御部２１でかご呼び登録装置３１を制御することにより、乗りかご５内の利用者１００に対してかご呼び登録装置３１を介して報知する。例えば、乗りかご５が上昇中に、乗りかご５を下降させる方向の呼び操作を目的階選択ボタン３３に対して行った場合には、現在は上昇方向の操作しか受け付けない旨を、乗りかご側インジケータ３２や乗りかご側スピーカ３５で利用者１００に報知する。
【００６０】
次に、かご呼びを却下する（ステップＳＴ２０５）。つまり、現在の運転方向の反対方向に乗りかご５を移動させるようにかご呼び登録装置３１に対して行った呼び操作を、登録制御部２１で却下する。
【００６１】
次に、かご呼び登録装置３１からの呼び登録信号を登録したり（ステップＳＴ２０３）、却下したり（ステップＳＴ２０５）したら、次に、呼び登録に応じて、乗りかご５を移動させる（ステップＳＴ２０６）。即ち、登録制御部２１での呼び登録に応じて、制御装置２０の運転制御部２２で昇降駆動装置１２を制御して駆動させることにより、乗りかご５内の利用者１００の呼び操作によって呼び登録された乗り場７へ、乗りかご５を移動させる。この場合、運転制御部２２は、乗りかご５を同一方向にのみ移動させるように昇降駆動装置１２を制御する。
【００６２】
このように、かご呼び登録装置３１からの呼び登録信号のうち、乗りかご５の移動方向が同一方向となる呼び登録信号のみに基づいて乗りかご５の昇降制御を行ったら、充電量減少時運転のルーチンから抜け出し、元のルーチンに戻る。
【００６３】
充電量減少時運転で、乗りかご５の移動方向が同一方向となる呼び登録信号のみに基づいて乗りかご５の昇降制御を行ったら、最後の呼びに応答して着床させ（ステップＳＴ１０８）、停電時継続運転を終了する（ステップＳＴ１０９）。
【００６４】
以上の実施形態２に係るエレベータ制御装置２は、商用電源５０の停電時で、バッテリ２６の充電量が所定値以下の場合は、乗りかご５の移動方向が、充電量減少時運転の開始時における乗りかご５の移動方向と同一方向の呼び操作に基づいてのみ、乗りかご５の昇降制御を行うため、乗りかご５を移動させる時間を短くすることができる。これにより、バッテリ２６の充電量が少ない状態での運転時間を短くすることができるので、電力不足によって運転中の乗りかご５が停止することを抑制できる。この結果、乗りかご５内の利用者１００を、より確実に目的階に到達させることができ、商用電源５０の停電時に、より適切な呼び応答を行うことができる。
【００６５】
〔実施形態３〕
実施形態３に係るエレベータ制御装置２は、実施形態２に係るエレベータ制御装置２と略同様の構成であるが、停電時低速運転時にバッテリ２６の充電量が低下したと判定された場合には、呼び登録信号のみを登録可能にして行う昇降制御を、所定の時間のみ行う点に特徴がある。他の構成は実施形態１と同様なので、その説明を省略すると共に、同一の符号を付す。
【００６６】
本実施形態３に係るエレベータ制御装置２は、実施形態２に係るエレベータ制御装置２と同様に、電源制御装置２５を備えており、電源制御装置２５には、外部電源である商用電源５０とバッテリ２６とが接続されている。このため、本実施形態３に係るエレベータ制御装置２は、商用電源５０とバッテリ２６との少なくともいずれか一方から供給される電力を、エレベータ装置１を駆動させる電力として使用して、エレベータ装置１を運転させることが可能になっている。
【００６７】
本実施形態３に係るエレベータ制御装置２は、以上のごとき構成からなり、以下、その作用について説明する。本実施形態３に係るエレベータ制御装置２でも、実施形態２に係るエレベータ制御装置２と同様に、商用電源５０の停電時は停電時低速運転を行い、バッテリ２６から供給される電力のみでエレベータ装置１を運転する共に、乗りかご５の昇降の速度を、通常運転時の速度よりも遅くする。
【００６８】
また、本実施形態３に係るエレベータ制御装置２でも、バッテリ２６の充電量が少なくなった場合には充電量減少時運転を行うが、本実施形態３では、充電量減少時運転を開始したら、バッテリ２６の電力のみで運転を行う残り時間のカウントを開始し、バッテリ２６の電力のみで運転を行う時間が経過したら、乗りかご５を停止させる。換言すると、運転制御部２２は、商用電源５０の停電時で、且つ、バッテリ２６の充電量が所定値以下の場合には、所定の時間の間は乗りかご５の昇降制御を行い、所定の時間の経過後は乗りかご５の昇降制御を停止する。
【００６９】
次に、商用電源５０の停電時にエレベータ装置１を運転させる際における処理手順について説明する。なお、本実施形態３に係るエレベータ制御装置２でも、商用電源５０の停電時には停電時低速運転を開始するが、この停電時低速運転は、充電量減少時運転以外の処理手順は実施形態２に係るエレベータ制御装置２での停電時低速運転と同様の処理手順になっている。このため、以下の説明では、本実施形態３に係るエレベータ制御装置２での停電時低速運転の処理手順のうち、充電量減少時運転の処理手順のみ説明する。
【００７０】
図９は、実施形態３に係るエレベータ制御装置で充電量減少時運転を行う際の処理手順の概略を示すフロー図である。充電量減少時運転では、まず、運転時間のカウントを開始する（ステップＳＴ３０１）。この運転時間は、電源制御装置２５に内蔵されるタイマ（図示省略）等を用いて計られる時間になっており、バッテリ２６の現在の充電量が少ないと判定された場合には、電源制御装置２５は、この運転時間のカウントを開始する。
【００７１】
次に、新規かご呼びは許可し、乗り場呼び登録は禁止する（ステップＳＴ３０２）。つまり、制御装置２０の登録制御部２１は、乗り場呼び登録装置４１からの呼び登録信号は登録不可とし、かご呼び登録装置３１からの呼び登録信号のみを登録可能にする。
【００７２】
次に、呼び登録に応じて、乗りかご５を移動させる（ステップＳＴ３０３）。即ち、登録制御部２１での呼び登録に応じて、制御装置２０の運転制御部２２で昇降駆動装置１２を制御して駆動させることにより、乗りかご５内の利用者１００の呼び操作によって呼び登録された乗り場７へ、乗りかご５を移動させる。
【００７３】
次に、バッテリ運転時間が経過したか否かを判定する（ステップＳＴ３０４）。この判定は、ステップＳＴ３０１でカウントを開始した運転時間が、予め設定されているバッテリ運転時間を経過したか否かを、電源制御装置２５で判定する。このバッテリ運転時間は、充電量が少ないかの判定に用いる閾値の充電量で、バッテリ２６の電力のみでエレベータ装置１の運転を行った場合に、電力不足によって乗りかご５が移動の途中で止まることなく、運転を継続することが可能な所定の時間として設定されている。電源制御装置２５は、カウントを開始した運転時間とバッテリ運転時間とを比較することにより、運転時間がバッテリ運転時間を経過したか否かを判定する。
【００７４】
電源制御装置２５での判定により、運転時間はバッテリ運転時間を経過していないと判定された場合（ステップＳＴ３０４、Ｎｏ判定）には、ステップＳＴ３０２に戻り、新規かご呼びは許可し、乗り場呼び登録は禁止して呼び登録信号の受け付けを行う。
【００７５】
これらに対し、電源制御装置２５での判定により、運転時間はバッテリ運転時間を経過したと判定された場合（ステップＳＴ３０４、Ｙｅｓ判定）には、充電量減少時運転のルーチンから抜け出して元のルーチン（図７参照）に戻り、最後の呼びに応答して着床させ（ステップＳＴ１０８）、停電時継続運転を終了する（ステップＳＴ１０９）。これらのように、運転制御部２２は、充電量減少時運転の開始後、バッテリ運転時間をするまでの間は乗りかご５の昇降制御を行い、バッテリ運転時間を経過したら、乗りかご５の昇降制御を停止する。
【００７６】
以上の実施形態３に係るエレベータ制御装置２は、商用電源５０の停電時で、バッテリ２６の充電量が所定値以下の場合は、充電量減少時運転の開始後の運転時間がバッテリ運転時間を経過するまでは、乗りかご５の昇降制御を行い、バッテリ運転時間の経過後は乗りかご５の昇降制御を停止するため、運転中に乗りかご５が停止することを抑制できる。つまり、充電量減少時運転は、バッテリ２６の充電量が少ない運転状態であるが、充電量減少時運転を行う時間をバッテリ運転時間として予め設定し、このバッテリ運転時間を経過したら乗りかご５の昇降制御を停止することにより、電力不足によって運転中の乗りかご５が停止することを抑制できる。この結果、乗りかご５内の利用者１００を、より確実に目的階に到達させることができ、商用電源５０の停電時に、より適切な呼び応答を行うことができる。
【００７７】
〔変形例〕
なお、上述したエレベータ制御装置２では、乗りかご５の昇降制御は、最後の呼びに応答して乗りかご５を着床させて終了しているが、乗りかご５の昇降制御を停止する際には、乗りかご５を停止させることを利用者１００に報知した後に停止させてもよい。この報知は、制御装置２０の登録制御部２１でかご呼び登録装置３１や乗り場呼び登録装置４１を制御することにより、呼び登録装置３０を介して利用者１００に対して報知する。例えば、乗りかご５は、もうすぐ停止する旨を、乗りかご側インジケータ３２や乗り場側インジケータ４２に表示したり、乗りかご側スピーカ３５や乗り場側スピーカ４５から音声を発したりすることにより、乗りかご５を停止させることを利用者１００に報知する。これにより、利用者１００は、乗りかご５が停止することを認識することができる。
【００７８】
また、上述したエレベータ制御装置２では、充電量減少時運転は、乗りかご５の移動方向に制限を設けたり（実施形態２）、運転時間に制限を設けたり（実施形態３）することにより、電力不足によって乗りかご５が途中で停止することを抑制しているが、これ以外の手法で、乗りかご５が途中で停止することを抑制してもよい。例えば、乗りかご５内の利用者１００が増えないような制御を行い、乗りかご５内の利用者１００が次々に呼び操作を行うことにより、乗りかご５の昇降制御が延々と続くことを抑制してもよい。
【００７９】
このような制御を行う際の一例としては、運転制御部２２で乗りかご５の荷重を検出し、乗り場７での停止時に乗りかご５の荷重が増加したり、乗りかご５の荷重が一旦減った後、再び増えたりしたら、乗りかご５内に新たな利用者１００が入ったと判断し、この新たな利用者１００を降ろす制御を行ってもよい。新たな利用者１００を乗りかご５から降ろす際には、乗りかご側インジケータ３２や乗りかご側スピーカ３５で、「エレベータはもうすぐ停止するので、最後に乗った方は降りて下さい」のようなメッセージを乗りかご５内の利用者１００に対して報知する。
【００８０】
換言すると、運転制御部２２は、乗り場７での乗りかご５の停止後に乗りかご５の荷重が増加した場合は、乗りかご５を昇降させずに、荷重が増加した乗り場７で乗りかご５を停止させ、乗りかご５の荷重が増加しない場合にのみ、乗りかご５を移動させる。これにより、乗りかご５の昇降制御が延々と続くことを抑制し、電力不足によって乗りかご５が途中で停止することを抑制する。
【００８１】
また、上述したエレベータ制御装置２では、外部電源の一例として商用電源５０を用いて説明しているが、外部電源は商用電源５０以外のものでもよい。例えば、外部電源は、エレベータ装置１が備えられる建物に設置される発電機であってもよい。外部電源は、エレベータ装置１を運転させることのできる電力をエレベータ装置１の外部から供給するものであれば、その形態は問わない。
【００８２】
また、エレベータ制御装置２は、上述した実施形態、及び変形例で用いられている構成や制御等を適宜組み合わせてもよく、または、上述した構成や制御以外を用いてもよい。エレベータ制御装置２の構成や制御等に関わらず、外部電源の停電時で、且つ、バッテリ２６の充電量が所定値以下の場合は、かご呼び登録装置３１からの呼び登録信号のみを登録可能として乗りかご５の昇降制御を行うことにより、外部電源の停電時に、より適切な呼び応答を行うことができる。
【００８３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８４】
１  エレベータ装置
２  エレベータ制御装置
３  昇降路
５  乗りかご
７  乗り場
１０  カウンタウェイト
１１  メインロープ
１２  昇降駆動装置
１５  巻上機
１８  電動機
２０  制御装置
２１  登録制御部
２２  運転制御部
２５  電源制御装置
２６  バッテリ
３０  呼び登録装置
３１  かご呼び登録装置
３２  乗りかご側インジケータ
３３  目的階選択ボタン
３４  戸開閉ボタン
３５  乗りかご側スピーカ
４１  乗り場呼び登録装置
４２  乗り場側インジケータ
４３  移動方向選択ボタン
４５  乗り場側スピーカ
５０  商用電源
１００  利用者
【図１】
2014136629.tif 000003
【図２】
2014136629.tif 000004
【図３】
2014136629.tif 000005
【図４】
2014136629.tif 000006
【図５】
2014136629.tif 000007
【図６】
2014136629.tif 000008
【図７】
2014136629.tif 000009
【図８】
2014136629.tif 000010
【図９】
2014136629.tif 000011
【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
エレベータの外部電源からの電力を蓄積すると共に、少なくとも前記外部電源の停電時は、前記エレベータの乗りかごの移動に使用する電力を供給するバッテリと、
前記エレベータの乗り場に設けられた乗り場呼び登録装置及び前記乗りかごに設けられたかご呼び登録装置からの呼び登録信号に従って前記乗りかごの昇降制御を行うと共に、前記外部電源の停電時で、且つ、前記バッテリの充電量が所定値以下の場合は、前記かご呼び登録装置からの前記呼び登録信号のみを登録可能として前記乗りかごの昇降制御を行う運転制御部と、
を備え、
前記運転制御部は、前記外部電源の停電時で、且つ、前記バッテリの充電量が所定値以下の場合には、前記かご呼び登録装置からの前記呼び登録信号のうち、前記乗りかごの移動方向が現在の運転方向と同一方向の前記呼び登録信号のみに基づいて前記乗りかごの昇降制御を行うことを特徴とするエレベータ制御装置。
【請求項２】
前記運転制御部は、前記外部電源の停電時で、且つ、前記バッテリの充電量が所定値以下の場合には、所定の時間の間は前記乗りかごの昇降制御を行い、前記所定の時間の経過後は前記乗りかごの昇降制御を停止することを特徴とする請求項１に記載のエレベータ制御装置。
【請求項３】
前記運転制御部は、前記外部電源の停電時で、且つ、前記バッテリの充電量が所定値以下の場合には、前記乗り場での前記乗りかごの停止後に前記乗りかごの荷重が増加した場合は、前記荷重が増加した前記乗り場で前記乗りかごを停止させることを特徴とする請求項１または２に記載のエレベータ制御装置。